(57)【要約】【課題】高密度配線の光成端ユニットに対して有効な光コード挿抜作業用補助具を提供する。【解決手段】ユニット前面に縦横に多数配列されたアダプタを持つ光成端ユニットに対して光コネクタ付き光コードの切り替えをする際に用いる光コード挿抜作業用補助具１１であって、左右の垂直板部１１ａと、この垂直板部１１ａに連続する左右に湾曲板部１１ｂと、左右の垂直板部１１ａの上端縁間を繋ぐ繋ぎ部１１ｃとを備え、垂直板部１１ａの外面に、隣接するアダプタの側面に弾性的に当たって当該光コード挿抜作業用補助具を光成端ユニット前面に仮留めする仮留め用突出部１１ｄを持つ。弾性変形可能な仮留め用突出部１１ｄを持つ薄い垂直板部１１ａによってユニット前面部に仮留めされる構造なので、アダプタが高密度に配列されている場合でも、装着可能である。また、構造が簡単で安価に製造できる。【選択図】図１
2008064916.tif 000002
【特許請求の範囲】
【請求項１】
多数の光コネクタ付き光コードが、ユニット前面に縦横に配列されたアダプタにてコネクタ接続された光成端ユニットに対して光コード切り替えのために光コードの挿抜をする際に用いる光コード挿抜作業用補助具であって、
縦１列に並ぶ複数のアダプタの左右両側に形成された隣接アダプタとの間の隙間にそれぞれ挿入されるユニット前面側の左右の垂直板部と、前記垂直板部に連続してユニット前面から離間する方向に延出すると同時に互いの間隔が拡がるようにそれぞれ左右に湾曲する湾曲板部と、前記左右の垂直板部の上端縁間を繋ぐ繋ぎ部とを備え、前記垂直板部の外面に、隣接するアダプタの側面に弾性的に当たって当該垂直板部を光成端ユニット前面に仮留めする仮留め用突出部を備えたことを特徴とする光成端ユニット用の光コード挿抜作業用補助具。
【請求項２】
前記仮留め用突出部が、前記垂直板部をアダプタ間隙間に挿入した時に隣接するアダプタの側面に当たって弾性的に撓み変形可能な板状突出片であることを特徴とする請求項１記載の光成端ユニット用の光コード挿抜作業用補助具。
【発明の詳細な説明】
【技術分野】
【０００１】
この発明は、多数の光コネクタ付き光コードがユニット前面でコネクタ接続された光成端ユニットに対して光コード切り替えのために光コードの挿抜をする際に用いる光成端ユニット用の光コード挿抜作業用補助具に関する。
【背景技術】
【０００２】
線路側の光ファイバと装置側の光ファイバとを切り替え可能に接続する光成端ユニットとして、図９、図１０に示すように、光コード２に取り付けられた光コネクタ３をユニット側光コネクタ４に接続するための多数のアダプタ５をユニット前面（前面板）６に縦横に配列した光成端ユニット１がある。この種の光成端ユニット１は、例えば局舎内に設置されるような大容量タイプの光配線盤の場合には、図８に示すように光配線盤７内に多段に設置される。特許文献１の光モジュール収納ユニットは、前記光成端ユニット１と若干異なるが基本構造としては概ね同様な構造のものである。
【０００３】
この光成端ユニット１において光コード２の切り替え（光配線系統の切り替え）を行う際には光コード２を挿抜するが、光コード２の挿抜は、光コード２の光コネクタ３をユニット前面６のアダプタ５に対して着脱して行う。光コード２の本数が少ない場合は特に問題はないが、図示のように高密度配線の光成端ユニット１の場合、極めて多数の光コード２がユニット前面６から出ているので、着脱しようとする光コネクタ３の周囲の光コード２が邪魔になってコネクタ着脱の作業が困難で、光コード切り替えの作業性が極めて低いという問題がある。
【０００４】
ところで、光コードが邪魔で作業性低下をきたすことを問題としているのではないが、光コード切り替え作業の際に、多数の光コネクタのなかから切り替え対象の光コネクタを素早く認識することを可能にするものとして、図１１に示すように、多数のアダプタ５’を縦横に配列した光成端ユニットの配線板（前面板）６’に取り付けて用いるコネクタ仕切り板９がある（特許文献２参照）。
このコネクタ仕切り板９は、配線板６’に取り付けるための配線板取付け部９ｂと左右のアダプタ５’と仕切るためのラッパ部９ａとからなり、配線板取付け部９ｂにはアダプタ５’を露出させるための窓９ｃがあけられている。すなわち、配線板取付け部９ｂは、配線板６’に面接触する板状窓枠となっている。そして、コネクタ仕切り板９は、配線板取付け部９ｂの窓枠部（窓９ｃの周囲の板状部分）に固定した磁石によって配線板６’に取り付けるものとしている。
このコネクタ仕切り板９によれば、切り替え対象を含む一群の光コネクタ（ないしアダプタ）を他の光コネクタから仕切って着脱可能なので、一度所望の箇所を探すだけで２回目以降はそのコネクタ仕切り板９をはずさない限り、簡単に所望のコネクタの位置を見付けることが可能であり、切り替え対象の光コネクタを素早く認識することが可能で、切り替えの作業時間の短縮効果をもたらす、とされる。
【特許文献１】特開２００１−１３３６３６
【特許文献２】特許第３７４７５９６号
【発明の開示】
【発明が解決しようとする課題】
【０００５】
前記コネクタ仕切り板９のように、配線板６’に取り付けるための配線板取付け部９ｂが配線板６’に面接触する板状窓枠であり磁石で取り付ける構造とする場合、板状窓枠（配線板取付け部９ｂ）の広さをある程度必要とするので、アダプタ５’が配線板６’に高密度で配列されている場合に適用が困難になることが考えられる。したがって、アダプタが配線板に高密度で配列されている光成端ユニットに適用するには有効でない。また、磁石による取付けでは、配線板６’が樹脂製である場合には適用できない。また、別途磁石が必要となり取り付け構造が煩雑になるので、コストが高くなる。
【０００６】
本発明は上記従来の欠点を解消するためになされたもので、光コネクタ接続用の多数のアダプタを縦横に配列した光成端ユニットおいて、光コード切り替えのために光コードの挿抜をする際に、光コードが邪魔で作業性低下をきたす問題を軽減できるとともに、特に高密度配線の光成端ユニットの場合に有効な光成端ユニット用の光コード挿抜作業用補助具を提供することを目的とする。
【課題を解決するための手段】
【０００７】
上記課題を解決する本発明は、多数の光コネクタ付き光コードが、ユニット前面に縦横に配列されたアダプタにてコネクタ接続された光成端ユニットに対して光コード切り替えのために光コードの挿抜をする際に用いる光コード挿抜作業用補助具であって、
縦１列に並ぶ複数のアダプタの左右両側に形成された隣接アダプタとの間の隙間にそれぞれ挿入されるユニット前面側の左右の垂直板部と、前記垂直板部に連続してユニット前面から離間する方向に延出すると同時に互いの間隔が拡がるようにそれぞれ左右に湾曲する湾曲板部と、前記左右の垂直板部の上端縁間を繋ぐ繋ぎ部とを備え、前記垂直板部の外面に、隣接するアダプタの側面に弾性的に当たって当該垂直板部を光成端ユニット前面に仮留めする仮留め用突出部を備えたことを特徴とする。
【０００８】
請求項２は、請求項１の光コード挿抜作業用補助具における仮留め用突出部が、垂直板部をアダプタ間隙間に挿入した時に隣接するアダプタの側面に当たって弾性的に撓み変形可能な板状突出片であることを特徴とする。
【発明の効果】
【０００９】
本発明の光コード挿抜作業用補助具によれば、切り替え対象の光コードに隣接する光コードを湾曲板部の外側に押し退けた状態で作業できるので、光コードの切り替え作業は極めて容易であり、作業性が大きく改善される。
また、ユニット前面部に直接仮留めされる光コード挿抜作業用補助具の基端部（垂直板部）は、ユニット前面に対して直角な板状をなす垂直板部であり薄いので、アダプタが高密度に配列されている場合でも、従来のコネクタ仕切り板のようなユニット前面と平行で面接触する板状窓枠（配線板取付け部）と異なり、装着するスペースがないという問題は生じない。したがって、高密度配線の光成端ユニットに適用する場合に特に有効である。
また、取付け構造として磁石などの別部材を必要としないので、構造が簡単であり、コストは安く済む。
【発明を実施するための最良の形態】
【００１０】
以下、本発明を実施した光成端ユニット用の光コード挿抜作業用補助具について、図面を参照して説明する。
【実施例１】
【００１１】
図１は本発明の一実施例の光成端ユニット用の光コード挿抜作業用補助具１１の斜視図、図２（イ）は光コード挿抜作業用補助具１１の平面図、（ロ）は側面から見た図、（ハ）は（ロ）のＡ矢視図である。また、図３（イ）は図２（イ）の要部拡大図、（ロ）は図２（ロ）の要部拡大図、（ハ）は図３（ロ）のＢ−Ｂ断面図である。
この光コード挿抜作業用補助具１１は、例えば前述した光成端ユニット１に対して、光コード切り替えのために光コードの挿抜をする際に用いる光コード挿抜作業用補助具である。図示例の光成端ユニット１は、図８に示すような大容量タイプの光配線盤７内に多段に設置されるもので、前述した図９、図１０のように、光コード２に取り付けられた光コネクタ３をユニット側光コネクタ４に接続するための多数のアダプタ５をユニット前面６に縦横に配列している。線路側の光ケーブル１２から取り出した光ファイバ１２ａは、前記ユニット側光コネクタ４が先端に取り付けられた光ファイバ１３と融着ユニット１４において融着接続されている。光コード２の先端に取り付けられた光コネクタ３はアダプタ５に嵌合してユニット側光コネクタ４にコネクタ接続されている。光コード２はユニット前面から前方に延びてコード受け１５で受けられ図９で左方に導かれている。
【００１２】
実施例の光コード挿抜作業用補助具１１は、例えばポリプロピレン等の樹脂成形品であり、図４、図５に示すように、縦１列に並ぶ複数のアダプタ５の左右両側に形成された隣接アダプタ５との間の隙間１６にそれぞれ挿入されるユニット前面側（図４、図５で左側）の左右の垂直板部１１ａと、前記垂直板部１１ａに連続してユニット前面６から離間する方向（図４、図５で右側）に延出すると同時に互いの間隔が拡がるようにそれぞれ左右に湾曲する湾曲板部１１ｂと、前記左右の垂直板部１１ａの上端縁間を繋ぐ繋ぎ部１１ｃとを備えている。そして前記垂直板部１１ａの外面に、隣接するアダプタ５の側面に弾性的に当たって当該垂直板部１１ａを光成端ユニット前面に仮留めする仮留め用突出部１１ｄを備えている。実施例の光成端ユニット１におけるアダプタ５は、縦列の８つのアダプタ５が一体樹脂成形されている８連アダプタの一部をなすものである。
実施例の仮留め用突出部１１ｄは、垂直板部１１ａをアダプタ間隙間１６に挿入した時に隣接するアダプタ５の側面に当たって弾性的に撓み変形可能な板状突出片であるが、図示例では垂直板部１１ａの面から左右に垂直に突出している。なお、垂直板部１１ａと湾曲板部１１ｂとは一応区別した名称を付けたが一連続であり、特別明確に境界があるものではない。
【００１３】
上記の光コード挿抜作業用補助具１１を用いて、光成端ユニット１における光コード２の切り替えを行う場合、光コード挿抜作業用補助具１１を、その左右の垂直板部１１ａが、切り替え対象のアダプタ５のある縦列全体のアダプタ５（実施例では８連アダプタ）の両側のアダプタ間隙間１６に挿入されるようにして、ユニット前面６側に押込む。すると、左右の垂直板部１１ａの外面の板状突出片１１ｄが隣接するアダプタ５の側面に当たって図５および要部を拡大した図６に示すように弾性的に撓み変形した状態となり、垂直板部１１ａが隣接するアダプタ５間に弾性的に係止され、仮留め状態となる。
この状態では、切り替え対象の光コード２を含む縦列の光コード２のみが光コード挿抜作業用補助具１１の内側にあり、隣接する光コード２は湾曲板部１１ｂの外側に押し退けられるので、光コード２の切り替え作業、すなわち、当該光コード２の光コネクタ３の着脱作業は極めて容易であり、作業性が大きく改善される。
また、光コード挿抜作業用補助具１１の基端部（垂直板部１１ａ側部分）を押込むという簡単な操作で仮留めすることができ、多数の光コード２が密集している場合でも、容易に仮留めすることができる。
また、ユニット前面部に直接仮留めされる光コード挿抜作業用補助具１１の基端部（垂直板部１１ａ）は、ユニット前面に対して直角な板状をなす垂直板部１１ａであり薄いので、アダプタ５が高密度に配列されている場合でも、従来のコネクタ仕切り板９のようなユニット前面と平行で面接触する板状窓枠（配線板取付け部）と異なり、装着するスペースがないという問題は生じない。したがって、高密度配線の光成端ユニットに適用する場合に特に有効である。
また、ユニット前面板が樹脂製である場合には、従来の磁石方式は不適当であるが、本発明の光コード挿抜作業用補助具１１にはそのような不都合はない。
また、この光コード挿抜作業用補助具１１は、別途磁石が必要となるものと異なり、樹脂成形のみで製造できるので、構造が簡単であり、コストを安くできる。
なお、ユニット前面６から出ている光コード２は、ユニット前面から離間する方向に若干水平に延出した後すぐに下方に垂れ下がるので、光コード２群が湾曲板部１１ｂの全長に亘って湾曲板部１１ｂに沿う訳ではなく、コネクタ着脱作業に支障とならない。また、光コネクタ３の着脱操作自体は、細長い工具本体の先端に開閉可能な係合爪を持つ持つ市販のコネクタ着脱工具を用いて行うとよい。
【実施例２】
【００１４】
光コード挿抜作業用補助具１１の垂直板部１１ａに設ける仮留め用突出部１１ｄは、実施例のような左右方向に垂直に突出する板状突出片１１dに限らず、図７のように、垂直板部１１ａの面に直角でなく湾曲板部先端側に傾斜（仮留めしていない状態で傾斜）している板状突出片１１ｄ’でもよい。また、別部材の例えば金属板バネを取り付けることも考えられる。
【００１５】
上述の説明では、光成端ユニット１を多段に設置した図８のような光配線盤７における光成端ユニット１に適用する場合として説明したが、多段に設置されたものに限らず、１つの光成端ユニット１を備えた光配線盤ないし光配線箱に適用できることは勿論である。また、光成端ユニット１の構造は実施例のものに限らず、種々の構造が考えられる。要するに、多数の光コネクタ付き光コードが、ユニット前面に縦横に配列されたアダプタにてコネクタ接続される構造の光成端ユニットであれば、本発明の光コード挿抜作業用補助具を適用できる。
【図面の簡単な説明】
【００１６】
【図１】本発明の一実施例の光成端ユニット用のコネクタ着脱作業用補助具の斜視図である。
【図２】（イ）は図１の光コード挿抜作業用補助具の平面図、（ロ）は同側面図、（ハ）は（ロ）のＡ矢視図である。
【図３】（イ）は図２（イ）の要部拡大図、（ロ）は図２（ロ）の要部拡大図、（ハ）は図３（ロ）のＢ−Ｂ断面図である。
【図４】光成端ユニットの光コネクタ着脱作業を行うためにユニット前面に上記コネクタ着脱作業用補助具を仮留めした状況を示すもので、光成端ユニットの前面側部分の側面図である。
【図５】図４の平面図（但し、光成端ユニットの一部分のみを示した平面図）である。
【図６】図５の要部拡大図である。
【図７】光コード挿抜作業用補助具の仮留め用突出部の他の実施例を示すもので、図３（イ）に対応する図である。
【図８】本発明のコネクタ着脱作業用補助具を用いる対象である光成端ユニットを複数段に備えた光配線盤の正面図である。
【図９】図７における１つの光成端ユニットの概略構成を示した正面図である。
【図１０】図８の左側面図である。
【図１１】従来例を示すもので、コネクタ仕切り板の斜視図である。
【符号の説明】
【００１７】
１  光成端ユニット
２  光コード
３  外側の光コネクタ
４  ユニット内部側光コネクタ
５  アダプタ
６  ユニット前面（ユニット前面部、ユニット前面板）
１１  光コード挿抜作業用補助具
１１ａ  垂直板部
１１ｂ  湾曲板部
１１ｃ  繋ぎ部
１１ｄ、１１ｄ’  仮留め用突出部
１３  ユニット内部側光コネクタを取り付けた光ファイバ
１４  融着ユニット
【図１】
2008064916.tif 000003
【図２】
2008064916.tif 000004
【図３】
2008064916.tif 000005
【図４】
2008064916.tif 000006
【図５】
2008064916.tif 000007
【図６】
2008064916.tif 000008
【図７】
2008064916.tif 000009
【図８】
2008064916.tif 000010
【図９】
2008064916.tif 000011
【図１０】
2008064916.tif 000012
【図１１】
2008064916.tif 000013